(57)【特許請求の範囲】
【請求項１】
硬貨を金種別に収納するとともに必要枚数の硬貨を繰り出す硬貨収納繰出部と、
前記硬貨収納繰出部から繰り出された硬貨が適正な硬貨であるか否かの判定を行う判定部と、
硬貨の出金を行うために用いられる出金箱および硬貨の回収を行うために用いられる回収カセットを選択的に着脱自在に装填可能な装填部であって、前記装填部に装填された前記出金箱または前記回収カセットには、前記硬貨収納繰出部から繰り出され前記判定部により判定が行われた硬貨が送られる装填部と、
前記出金箱および前記回収カセットのうち何れが前記装填部に装填されたかを検出する検出部と、
前記検出部による検出結果に基づいて前記硬貨収納繰出部の制御を行う制御部と、
を備えたことを特徴とする硬貨処理装置。
【請求項２】
前記制御部に対して操作者が出金処理または回収処理の指令を与えるための入力部を更に備え、
前記制御部は、前記入力部により出金処理の指令が与えられたときに、前記装填部に前記出金箱が装填されていることが前記検出部により検出された場合のみにおいて前記硬貨収納繰出部から硬貨を繰り出させ、また、前記入力部により回収処理の指令が与えられたときに、前記装填部に前記回収カセットが装填されていることが前記検出部により検出された場合のみにおいて前記硬貨収納繰出部から硬貨を繰り出させるよう制御を行うことを特徴とする請求項１記載の硬貨処理装置。
【請求項３】
前記硬貨収納繰出部から繰り出され前記判定部により判定が行われた硬貨を一時的に保留する一時保留部を更に備え、前記一時保留部により一時的に保留された硬貨が前記装填部に装填された前記出金箱または前記回収カセットに送られるようになっており、
前記制御部は、前記硬貨収納繰出部から繰り出された硬貨が適正な硬貨ではないと前記判定部により判定されたときに、前記一時保留部に一時的に保留された硬貨を前記装填部に装填された前記出金箱または前記回収カセットに送らないよう前記一時保留部の制御を行うことを特徴とする請求項１または２記載の硬貨処理装置。
【請求項４】
前記硬貨収納繰出部から繰り出され前記判別部により判別が行われた硬貨を一時的に保留する一時保留部と、前記制御部に対して操作者が出金処理または回収処理の指令を与えるための入力部とを更に備え、
前記制御部は、前記入力部により出金処理の指令が与えられたときに、前記装填部に前記出金箱が装填されていることが前記検出部により検出された場合には、前記硬貨収納繰出部から繰り出された硬貨を、前記一時保留部に保留することなく前記装填部に装填された前記出金箱に送り、また、前記入力部により回収処理の指令が与えられたときに、前記装填部に前記回収カセットが装填されていることが前記検出部により検出された場合には、前記硬貨収納繰出部から繰り出された硬貨を前記一時保留部に一旦保留させ、前記一時保留部に保留された硬貨を前記装填部に装填された前記回収カセットに送るよう制御を行うことを特徴とする請求項１記載の硬貨処理装置。
【請求項５】
前記検出部により検出された、前記出金箱および前記回収カセットのうち何れが前記装填部に装填されたかという情報を表示する表示部を更に備えたことを特徴とする請求項１に記載の硬貨処理装置。
【請求項６】
前記制御部に対して操作者が出金処理または回収処理の指令を与えるための入力部を更に備え、
前記制御部は、前記入力部により出金処理の指令が与えられたときに、前記装填部に前記出金箱が装填されていないことが前記検出部により検出された場合には、前記装填部に前記出金箱を装填することを促すガイダンスを前記表示部に表示させ、また、前記入力部により回収処理の指令が与えられたときに、前記装填部に前記回収カセットが装填されていないことが前記検出部により検出された場合には、前記装填部に前記回収カセットを装填することを促すガイダンスを前記表示部に表示させるよう前記表示部の制御を行うことを特徴とする請求項５記載の硬貨処理装置。
【請求項７】
前記硬貨収納繰出部から繰り出され前記判定部により判定が行われた硬貨を一時的に保留する一時保留部を更に備え、前記一時保留部により一時的に保留された硬貨が前記装填部に装填された前記出金箱または前記回収カセットに送られるようになっており、
前記制御部は、前記一時保留部に硬貨が一時的に保留された後、前記装填部に前記出金箱または前記回収カセットが適切に装填されていないことが前記検出部により検出された場合に、前記表示部にガイダンスを表示させるよう前記表示部を制御することを特徴とする請求項６記載の硬貨処理装置。
【請求項８】
硬貨を金種別に収納するとともに必要枚数の硬貨を繰り出す硬貨収納繰出部と、
前記硬貨収納繰出部から繰り出された硬貨が適正な硬貨であるか否かの判定を行う判定部と、
前記硬貨収納繰出部から繰り出され前記判定部により判定が行われた硬貨を一時的に保留する一時保留部と、
硬貨の出金を行うために用いられる出金箱および硬貨の回収を行うために用いられる回収カセットを選択的に着脱自在に装填可能な装填部であって、前記装填部に装填された前記出金箱または前記回収カセットには、前記一時保留部に一時的に保留された硬貨が送られる装填部と、
前記一時保留部に一時的に保留された硬貨が送られ得るようになっているリジェクト部と、
前記一時保留部に一時的に保留された硬貨を、前記装填部に装填された前記出金箱または前記回収カセット、または前記リジェクト部のうちいずれか一方に選択的に送るよう硬貨の振り分けを行う振分機構と、
前記判定部による判定結果に基づいて前記振分機構の制御を行う制御部と、
を備えたことを特徴とする硬貨処理装置。
【請求項９】
前記制御部は、前記硬貨収納繰出部から繰り出された硬貨が全て適正な硬貨であると前記判定部により判定されたときに、前記一時保留部に一時的に保留された硬貨を前記装填部に装填された前記出金箱または前記回収カセットに送り、一方、前記硬貨収納繰出部から繰り出された硬貨が適正な硬貨ではないと前記判定部により判定されたときに、前記一時保留部に一時的に保留された硬貨を前記リジェクト部に送るよう前記振分機構の制御を行うことを特徴とする請求項８記載の硬貨処理装置。
【請求項１０】
前記出金箱および前記回収カセットのうち何れが前記装填部に装填されたかを検出する検出部を備えたことを特徴とする請求項８または９記載の硬貨処理装置。
【請求項１１】
前記制御部に対して操作者が出金処理または回収処理の指令を与えるための入力部を更に備え、
前記制御部は、前記入力部により出金処理の指令が与えられたときに、前記装填部に前記出金箱が装填されていることが前記検出部により検出された場合のみにおいて前記一時保留部から前記装填部に装填された前記出金箱に硬貨を送り、また、前記入力部により回収処理の指令が与えられたときに、前記装填部に前記回収カセットが装填されていることが前記検出部により検出された場合のみにおいて前記一時保留部から前記装填部に装填された前記回収カセットに硬貨を送るよう前記振分機構の制御を行うことを特徴とする請求項１０記載の硬貨処理装置。
【請求項１２】
前記検出部により検出された、前記出金箱および前記回収カセットのうち何れが前記装填部に装填されたかという情報を表示する表示部を更に備えたことを特徴とする請求項１０に記載の硬貨処理装置。
【請求項１３】
前記制御部に対して操作者が出金処理または回収処理の指令を与えるための入力部を更に備え、
前記制御部は、前記入力部により出金処理の指令が与えられたときに、前記装填部に前記出金箱が装填されていないことが前記検出部により検出された場合には、前記装填部に前記出金箱を装填することを促すガイダンスを前記表示部に表示させ、また、前記入力部により回収処理の指令が与えられたときに、前記装填部に前記回収カセットが装填されていないことが前記検出部により検出された場合には、前記装填部に前記回収カセットを装填することを促すガイダンスを前記表示部に表示させるよう前記表示部の制御を行うことを特徴とする請求項１２記載の硬貨処理装置。
【請求項１４】
前記制御部は、前記一時保留部に硬貨が一時的に保留された後、前記装填部に前記出金箱または前記回収カセットが適切に装填されていないことが前記検出部により検出された場合に、前記表示部にガイダンスを表示させるよう前記表示部を制御することを特徴とする請求項１３記載の硬貨処理装置。
【請求項１５】
前記回収カセットは、前記装填部に装填されたときには上方が開口し、前記装填部から取り外されているときには前記開口が閉止されるようになっていることを特徴とする請求項１乃至１４のいずれか一項に記載の硬貨処理装置。
【請求項１６】
前記回収カセットには、当該回収カセットの上方の開口を選択的に閉止するシャッターおよびこのシャッターの開閉機構が設けられており、前記回収カセットが前記装填部から取り外されているときには前記開閉機構により前記シャッターは前記回収カセットの上方の開口を閉止する位置に維持され、前記回収カセットが前記装填部に装填されたときに前記開閉機構が前記シャッターを前記回収カセットの上方の開口を開く位置に移動させるようになっていることを特徴とする請求項１５記載の硬貨処理装置。
【請求項１７】
前記装填部は、大きさが異なる複数の種類の回収カセットが選択的に着脱自在に装填され得るようになっていることを特徴とする請求項１乃至１６のいずれか一項に記載の硬貨処理装置。
【発明の詳細な説明】
【技術分野】
【０００１】
本発明は、硬貨の入出金処理等の処理を行う硬貨処理装置に関し、とりわけ、省スペース化を図ることができるとともに硬貨の処理を迅速に行うことができる硬貨処理装置に関する。
【背景技術】
【０００２】
従来から、硬貨の入出金処理を行う硬貨入出金装置として様々なタイプのものが知られている。例えば特許文献１には、硬貨の出金処理時に、硬貨を金種別に収納する硬貨収納繰出部から必要枚数の硬貨を繰り出させ、この繰り出された硬貨を出金箱（取出箱）へ直接的に送るような硬貨入出金装置が開示されている。特許文献１に開示される硬貨入出金装置においては、硬貨の回収処理時には、仕切枠体の位置およびこの仕切枠体の底部に形成された開口を塞ぐための底板の位置をそれぞれ調整し、硬貨収納繰出部から繰り出された硬貨を仕切枠体および底板により一時的に保留させ、これらの仕切枠体および底板を一体的に移動させることにより硬貨を回収部に送るようになっている。
【先行技術文献】
【特許文献】
【０００３】
【特許文献１】特開２０１０−１５２８２３号公報
【発明の開示】
【発明が解決しようとする課題】
【０００４】
しかしながら、特許文献１等に開示されるような従来の硬貨入出金装置では、硬貨の出金処理時に用いられる出金箱および硬貨の回収処理時に用いられる回収部（回収カセット）が硬貨入出金装置の装置本体内で並列に設けられており、硬貨収納繰出部から繰り出された硬貨は出金一時保留部（例えば、特許文献１における仕切枠体および底板）に一時的に保留され、この出金一時保留部に一時的に保留された硬貨が出金箱または回収部のうち何れかに選択的に送られるようになっている。このような従来の硬貨入出金装置では、回収処理が行われる頻度は例えば１日１回と低く、出金箱に比べて回収部が用いられる回数は少ないにもかかわらず、装置本体内に出金箱用および回収部用のスペースをそれぞれ確保しなければならないので、硬貨入出金装置が大型化してしまうという問題がある。また、硬貨入出金装置の装置本体内で出金箱および回収部を並列に設置した場合には、硬貨の処理方法の種類によっては出金一時保留部を移動させなければならず、硬貨の処理時間が長くなってしまうという問題がある。
【０００５】
また、従来の硬貨入出金装置において、出金リジェクト硬貨が収納される出金リジェクト部を設置した場合には、出金一時保留部に一時的に保留された硬貨が出金箱、回収部または出金リジェクト部のうち何れかに選択的に送られるようになる。この場合、装置本体内に出金箱用、回収部用および出金リジェクト部用のスペースをそれぞれ確保する必要が生じ、硬貨入出金装置が更に大型化してしまうという問題がある。また、硬貨入出金装置の装置本体内で出金箱、回収部および出金リジェクト部を並列に設置した場合には、出金一時保留部の動作範囲が大きくなってしまい、硬貨の処理時間が更に長くなってしまうという問題がある。
【０００６】
本発明は、このような点を考慮してなされたものであり、省スペース化を図ることができるとともに硬貨の処理を迅速に行うことができる硬貨処理装置を提供することを目的とする。
【課題を解決するための手段】
【０００７】
本発明の硬貨処理装置は、硬貨を金種別に収納するとともに必要枚数の硬貨を繰り出す硬貨収納繰出部と、前記硬貨収納繰出部から繰り出された硬貨が適正な硬貨であるか否かの判定を行う判定部と、硬貨の出金を行うために用いられる出金箱および硬貨の回収を行うために用いられる回収カセットを選択的に着脱自在に装填可能な装填部であって、前記装填部に装填された前記出金箱または前記回収カセットには、前記硬貨収納繰出部から繰り出され前記判定部により判定が行われた硬貨が送られる装填部と、前記出金箱および前記回収カセットのうち何れが前記装填部に装填されたかを検出する検出部と、前記検出部による検出結果に基づいて前記硬貨収納繰出部の制御を行う制御部と、を備えたことを特徴とする。
【０００８】
このような硬貨処理装置によれば、装填部には、硬貨の出金を行うために用いられる出金箱および硬貨の回収を行うために用いられる回収カセットを選択的に着脱自在に装填することができるようになっており、検出部により、出金箱および回収カセットのうち何れが装填部に装填されたかを検出するようになっており、制御部は検出部による検出結果に基づいて硬貨収納繰出部の制御を行うようになっている。このように、一つの装填部に出金箱および回収カセットの両方を選択的に着脱自在に装填可能とすることにより、省スペース化を図ることができる。また、この場合には出金一時保留部を移動させる必要がなくなるので、硬貨処理装置の装置本体内で出金箱および回収カセットを並列に設置した場合と比較して、硬貨の処理時間を短くすることができる。
【０００９】
本発明の硬貨処理装置においては、前記制御部に対して操作者が出金処理または回収処理の指令を与えるための入力部を更に備え、前記制御部は、前記入力部により出金処理の指令が与えられたときに、前記装填部に前記出金箱が装填されていることが前記検出部により検出された場合のみにおいて前記硬貨収納繰出部から硬貨を繰り出させ、また、前記入力部により回収処理の指令が与えられたときに、前記装填部に前記回収カセットが装填されていることが前記検出部により検出された場合のみにおいて前記硬貨収納繰出部から硬貨を繰り出させるよう制御を行うようになっていてもよい。
【００１０】
本発明の硬貨処理装置においては、前記硬貨収納繰出部から繰り出され前記判定部により判定が行われた硬貨を一時的に保留する一時保留部を更に備え、前記一時保留部により一時的に保留された硬貨が前記装填部に装填された前記出金箱または前記回収カセットに送られるようになっており、前記制御部は、前記硬貨収納繰出部から繰り出された硬貨が適正な硬貨ではないと前記判定部により判定されたときに、前記一時保留部に一時的に保留された硬貨を前記装填部に装填された前記出金箱または前記回収カセットに送らないよう前記一時保留部の制御を行うようになっていてもよい。
【００１１】
また、前記硬貨収納繰出部から繰り出され前記判別部により判別が行われた硬貨を一時的に保留する一時保留部と、前記制御部に対して操作者が出金処理または回収処理の指令を与えるための入力部とを更に備え、前記制御部は、前記入力部により出金処理の指令が与えられたときに、前記装填部に前記出金箱が装填されていることが前記検出部により検出された場合には、前記硬貨収納繰出部から繰り出された硬貨を、前記一時保留部に保留することなく前記装填部に装填された前記出金箱に送り、また、前記入力部により回収処理の指令が与えられたときに、前記装填部に前記回収カセットが装填されていることが前記検出部により検出された場合には、前記硬貨収納繰出部から繰り出された硬貨を前記一時保留部に一旦保留させ、前記一時保留部に保留された硬貨を前記装填部に装填された前記回収カセットに送るよう制御を行うようになっていてもよい。
【００１２】
本発明の硬貨処理装置においては、前記検出部により検出された、前記出金箱および前記回収カセットのうち何れが前記装填部に装填されたかという情報を表示する表示部を更に備えていてもよい。
【００１３】
この際に、前記制御部に対して操作者が出金処理または回収処理の指令を与えるための入力部を更に備え、前記制御部は、前記入力部により出金処理の指令が与えられたときに、前記装填部に前記出金箱が装填されていないことが前記検出部により検出された場合には、前記装填部に前記出金箱を装填することを促すガイダンスを前記表示部に表示させ、また、前記入力部により回収処理の指令が与えられたときに、前記装填部に前記回収カセットが装填されていないことが前記検出部により検出された場合には、前記装填部に前記回収カセットを装填することを促すガイダンスを前記表示部に表示させるよう前記表示部の制御を行うようになっていてもよい。
【００１４】
また、前記硬貨収納繰出部から繰り出され前記判定部により判定が行われた硬貨を一時的に保留する一時保留部を更に備え、前記一時保留部により一時的に保留された硬貨が前記装填部に装填された前記出金箱または前記回収カセットに送られるようになっており、前記制御部は、前記一時保留部に硬貨が一時的に保留された後、前記装填部に前記出金箱または前記回収カセットが適切に装填されていないことが前記検出部により検出された場合に、前記表示部にガイダンスを表示させるよう前記表示部を制御するようになっていてもよい。
【００１５】
本発明の硬貨処理装置は、硬貨を金種別に収納するとともに必要枚数の硬貨を繰り出す硬貨収納繰出部と、前記硬貨収納繰出部から繰り出された硬貨が適正な硬貨であるか否かの判定を行う判定部と、前記硬貨収納繰出部から繰り出され前記判定部により判定が行われた硬貨を一時的に保留する一時保留部と、硬貨の出金を行うために用いられる出金箱および硬貨の回収を行うために用いられる回収カセットを選択的に着脱自在に装填可能な装填部であって、前記装填部に装填された前記出金箱または前記回収カセットには、前記一時保留部に一時的に保留された硬貨が送られる装填部と、前記一時保留部に一時的に保留された硬貨が送られ得るようになっているリジェクト部と、前記一時保留部に一時的に保留された硬貨を、前記装填部に装填された前記出金箱または前記回収カセット、または前記リジェクト部のうちいずれか一方に選択的に送るよう硬貨の振り分けを行う振分機構と、前記判定部による判定結果に基づいて前記振分機構の制御を行う制御部と、を備えたことを特徴とする。
【００１６】
このような硬貨処理装置によれば、装填部には、硬貨の出金を行うために用いられる出金箱および硬貨の回収を行うために用いられる回収カセットを選択的に着脱自在に装填することができるようになっており、リジェクト部には、一時保留部に一時的に保留された硬貨が送られ得るようになっており、振分機構は、判定部による判定結果に基づいて、一時保留部に一時的に保留された硬貨を、装填部に装填された出金箱または回収カセット、またはリジェクト部のうちいずれか一方に選択的に送るようになっている。このように、一つの装填部に出金箱および回収カセットの両方を選択的に着脱自在に装填可能とすることにより、省スペース化を図ることができる。また、この場合には一時保留部は、装填部に対応する位置（例えば、装填部の上方の位置）およびリジェクト部に対応する位置（例えば、リジェクト部の上方の位置）の２つの位置の間を移動するだけでよいので、硬貨処理装置の装置本体内で出金箱、回収部およびリジェクト部の３つの構成要素を並列に設置した場合と比較して、硬貨の処理時間を短くすることができる。
【００１７】
本発明の硬貨処理装置においては、前記制御部は、前記硬貨収納繰出部から繰り出された硬貨が全て適正な硬貨であると前記判定部により判定されたときに、前記一時保留部に一時的に保留された硬貨を前記装填部に装填された前記出金箱または前記回収カセットに送り、一方、前記硬貨収納繰出部から繰り出された硬貨が適正な硬貨ではないと前記判定部により判定されたときに、前記一時保留部に一時的に保留された硬貨を前記リジェクト部に送るよう前記振分機構の制御を行うようになっていてもよい。
【００１８】
本発明の硬貨処理装置においては、前記制御部に対して操作者が出金処理または回収処理の指令を与えるための入力部を更に備え、前記制御部は、前記入力部により出金処理の指令が与えられたときに、前記装填部に前記出金箱が装填されていることが前記検出部により検出された場合のみにおいて前記一時保留部から前記装填部に装填された前記出金箱に硬貨を送り、また、前記入力部により回収処理の指令が与えられたときに、前記装填部に前記回収カセットが装填されていることが前記検出部により検出された場合のみにおいて前記一時保留部から前記装填部に装填された前記回収カセットに硬貨を送るよう前記振分機構の制御を行うようになっていてもよい。
【００１９】
本発明の硬貨処理装置においては、前記検出部により検出された、前記出金箱および前記回収カセットのうち何れが前記装填部に装填されたかという情報を表示する表示部を更に備えていてもよい。
【００２０】
この際に、前記制御部に対して操作者が出金処理または回収処理の指令を与えるための入力部を更に備え、前記制御部は、前記入力部により出金処理の指令が与えられたときに、前記装填部に前記出金箱が装填されていないことが前記検出部により検出された場合には、前記装填部に前記出金箱を装填することを促すガイダンスを前記表示部に表示させ、また、前記入力部により回収処理の指令が与えられたときに、前記装填部に前記回収カセットが装填されていないことが前記検出部により検出された場合には、前記装填部に前記回収カセットを装填することを促すガイダンスを前記表示部に表示させるよう前記表示部の制御を行うようになっていてもよい。
【００２１】
また、前記制御部は、前記一時保留部に硬貨が一時的に保留された後、前記装填部に前記出金箱または前記回収カセットが適切に装填されていないことが前記検出部により検出された場合に、前記表示部にガイダンスを表示させるよう前記表示部を制御するようになっていてもよい。
【００２２】
本発明の硬貨処理装置においては、前記回収カセットは、前記装填部に装填されたときには上方が開口し、前記装填部から取り外されているときには前記開口が閉止されるようになっていてもよい。
【００２３】
この際に、前記回収カセットには、当該回収カセットの上方の開口を選択的に閉止するシャッターおよびこのシャッターの開閉機構が設けられており、前記回収カセットが前記装填部から取り外されているときには前記開閉機構により前記シャッターは前記回収カセットの上方の開口を閉止する位置に維持され、前記回収カセットが前記装填部に装填されたときに前記開閉機構が前記シャッターを前記回収カセットの上方の開口を開く位置に移動させるようになっていてもよい。
【００２４】
本発明の硬貨処理装置においては、前記装填部は、大きさが異なる複数の種類の回収カセットが選択的に着脱自在に装填され得るようになっていてもよい。
【発明の効果】
【００２５】
本発明の硬貨処理装置によれば、省スペース化を図ることができるとともに硬貨の処理を迅速に行うことができる。
【図面の簡単な説明】
【００２６】
【図１】本発明の第１の実施の形態における硬貨処理装置の構成を示す前面図である。
【図２】図１に示す硬貨処理装置の側面図である。
【図３】図１等に示す硬貨処理装置の機能ブロック図である。
【図４】図１等の硬貨処理装置に用いられる出金箱の構成の詳細を示す斜視図である。
【図５】図１等の硬貨処理装置に用いられる回収カセットの構成の詳細を示す斜視図である。
【図６】図５に示す回収カセットの内部の構成の詳細を示す部分切欠斜視図である。
【図７】本発明の第１の実施の形態の変形例における硬貨処理装置の構成を示す前面図である。
【図８】図７に示す硬貨処理装置の側面図である。
【図９】本発明の第２の実施の形態における硬貨処理装置の構成を示す前面図である。
【図１０】図９に示す硬貨処理装置の側面図である。
【図１１】図９等に示す硬貨処理装置の機能ブロック図である。
【図１２】第１および第２の実施の形態において、装填部が、大きさが異なる複数の種類の回収カセットが選択的に着脱自在に装填され得るようになっていることを説明するための説明図である。
【発明を実施するための形態】
【００２７】
〔第１の実施の形態〕
以下、図面を参照して本発明の第１の実施の形態について説明する。図１乃至図６は、第１の実施の形態に係る硬貨処理装置（硬貨入出金装置）を示す図である。このうち、図１は、本実施の形態における硬貨処理装置の構成を示す前面図であり、図２は、図１に示す硬貨処理装置の側面図である。また、図３は、図１等に示す硬貨処理装置の機能ブロック図である。また、図４は、図１等の硬貨処理装置に用いられる出金箱の構成の詳細を示す斜視図であり、図５および図６は、図１等の硬貨処理装置に用いられる回収カセットの構成の詳細を示す斜視図である。
【００２８】
本実施の形態の硬貨処理装置１０は、略直方体形状の筐体１２を備えており、この筐体１２の上面１２ａには硬貨の投入口１４が設けられている。また、筐体１２内の上部においてホッパ２０が設けられており、筐体１２の上面１２ａにある投入口１４に投入された硬貨はホッパ２０に送られるようになっている。また、ホッパ２０には搬送部２２が接続されており、このホッパ２０に収容された硬貨が１枚ずつ搬送部２２に繰り出されるようになっている。また、搬送部２２には識別部２４が設けられており、ホッパ２０から搬送部２２に繰り出された硬貨は識別部２４により金種、正損、真偽等の識別が行われるようになっている。
【００２９】
図１に示すように、搬送部２２における識別部２４よりも下流側の箇所には入金リジェクト硬貨選別部２６が設けられている。また、この入金リジェクト硬貨選別部２６の下方には入金リジェクト硬貨シュート（図示せず）を介して入金リジェクト部３０が設けられている。そして、識別部２４によりリジェクト硬貨であると識別された硬貨や、識別部２４により識別することができなかった硬貨は、入金リジェクト硬貨選別部２６により搬送部２２から入金リジェクト硬貨シュートに送られ、この入金リジェクト硬貨シュートから入金リジェクト部３０に硬貨が自重による落下によって送られる。入金リジェクト部３０に集積された硬貨は、筐体１２の前面１２ｂから操作者が取り出すことができるようになっている。
【００３０】
また、搬送部２２における入金リジェクト硬貨選別部２６よりも下流側の箇所には一括硬貨選別部２７が設けられており、この一括硬貨選別部２７よりも下流側の箇所には、５円硬貨選別部２８ａ、１円硬貨選別部２８ｂ、５０円硬貨選別部２８ｃ、１００円硬貨選別部２８ｄ、１０円硬貨選別部２８ｅ、５００円硬貨選別部２８ｆがそれぞれ上流側から順に設けられている。ここで、一括硬貨選別部２７および各硬貨選別部２８ａ〜２８ｆの下方にはそれぞれ対応する入金硬貨シュート（図示せず）が設けられており、各入金硬貨シュートの下方には入金一時保留部３２が設けられている。そして、識別部２４により５円硬貨、１円硬貨、５０円硬貨、１００円硬貨、１０円硬貨と選別された硬貨は、それぞれ対応する各硬貨選別部２８ａ〜２８ｅにより搬送部２２から各々の入金硬貨シュートに送られるようになっている。また、５００円硬貨選別部２８ｆは搬送部２２の底部に形成された開口からなり、識別部２４により識別された硬貨が５００円硬貨である場合には、この硬貨は各硬貨選別部２８ａ〜２８ｅによりこれらの硬貨選別部２８ａ〜２８ｅに対応する各入金硬貨シュートに送られることなく、代わりに５００円硬貨選別部２８ｆの開口によりこの５００円硬貨選別部２８ｆに対応する入金硬貨シュートに送られることとなる。また、また、識別部２４により正常な硬貨であると識別された硬貨について、この硬貨の金種に対応する硬貨収納繰出部３４（後述）が満杯である場合には、識別部２４により識別された硬貨は一括硬貨選別部２７により搬送部２２からこの一括硬貨選別部２７に対応する入金硬貨シュートに送られるようになっている。
【００３１】
前述のように、一括硬貨選別部２７および各硬貨選別部２８ａ〜２８ｆの下方には、それぞれの入金硬貨シュートを介して入金一時保留部３２が設けられている。この入金一時保留部３２は、搬送部２２から一括硬貨選別部２７および各硬貨選別部２８ａ〜２８ｆにより各入金硬貨シュートを介して送られた硬貨を一時的に保留するようになっている。
【００３２】
より詳細には、入金一時保留部３２は、仕切枠体３２ａおよび底板３２ｂから構成されている。仕切枠体３２ａはその上面および下面が開口しており、この仕切枠体３２ａは、混合硬貨領域、５円硬貨領域、１円硬貨領域、５０円硬貨領域、１００円硬貨領域、１０円硬貨領域および５００円硬貨領域からなる７つの領域に区分けされている。ここで、一括硬貨選別部２７および各硬貨選別部２８ａ〜２８ｆから、それぞれ対応する入金硬貨シュートを介して、仕切枠体３２ａの各領域に硬貨が送られるようになっている。仕切枠体３２ａは、図１の矢印に示すように筐体１２の内部において略水平方向に移動することができるようになっている。また、仕切枠体３２ａの下方に設けられた底板３２ｂは、この仕切枠体３２ａの下面の開口を塞ぐようになっており、この底板３２ｂも図１の矢印に示すように筐体１２の内部において略水平方向に移動することができるようになっている。ここで、仕切枠体３２ａおよび底板３２ｂがそれぞれ図１における実線位置にあるときに、一括硬貨選別部２７および各硬貨選別部２８ａ〜２８ｆから送られた硬貨が仕切枠体３２ａの各領域にそれぞれ一時的に保留される。
【００３３】
図１および図２に示すように、筐体１２の内部において入金一時保留部３２の高さレベルよりも下方には硬貨収納繰出部３４、一括硬貨収納部３５および返却箱３６がそれぞれ設けられている。硬貨収納繰出部３４は、硬貨を金種別に収納するとともに必要枚数の硬貨を下方に繰り出すようになっている。より詳細には、硬貨収納繰出部３４は、５円硬貨を収納する５円硬貨収納繰出部３４ａと、１円硬貨を収納する１円硬貨収納繰出部３４ｂと、５０円硬貨を収納する５０円硬貨収納繰出部３４ｃと、１００円硬貨を収納する１００円硬貨収納繰出部３４ｄと、１０円硬貨を収納する１０円硬貨収納繰出部３４ｅと、５００円硬貨を収納する５００円硬貨収納繰出部３４ｆとから構成されており、各硬貨選別部２８ａ〜２８ｆにより入金一時保留部３２の各領域に送られた硬貨が、対応する金種の各硬貨収納繰出部３４ａ〜３４ｆに送られるようになっている。また、一括硬貨収納部３５は金種混合状態で硬貨を収納するようになっており、この一括硬貨収納部３５には、一括硬貨選別部２７により入金一時保留部３２の混合硬貨領域に送られた硬貨が収納されるようになっている。
【００３４】
そして、仕切枠体３２ａおよび底板３２ｂがそれぞれ図１における実線位置にあるときにこの仕切枠体３２ａの各領域に硬貨がそれぞれ一時的に保留された後、仕切枠体３２ａが図１における二点鎖線位置に移動すると、この仕切枠体３２ａの各領域内にある硬貨が一括硬貨収納部３５または各硬貨収納繰出部３４ａ〜３４ｆに送られるようになる。一方、仕切枠体３２ａおよび底板３２ｂがそれぞれ図１における実線位置にあるときにこの仕切枠体３２ａの各領域に硬貨がそれぞれ一時的に保留された後、底板３２ｂが図１における二点鎖線位置に移動すると、仕切枠体３２ａの各領域内にある硬貨が返却箱３６に送られ、この返却箱３６に硬貨が金種混合状態で収納されるようになる。この返却箱３６は、操作者が筐体１２の前面１２ｂから手前に引き出すことにより、筐体１２から取り出すことができるようになっている。
【００３５】
図２に示すように、各硬貨収納繰出部３４ａ〜３４ｆの下方には例えばベルトコンベアからなる搬送部３８が設けられており、各硬貨収納繰出部３４ａ〜３４ｆから下方に繰り出された硬貨は搬送部３８上に載置されるようになっている。そして、搬送部３８により硬貨は図２における左方に金種混合状態で搬送され、この搬送部３８の左側下方に設けられた出金一時保留部４２に送られるようになっている。また、図２に示すように、搬送部３８の左端上方には例えば撮像カメラからなる判定部４０が設けられている。この判定部４０は、各硬貨収納繰出部３４ａ〜３４ｆから下方に繰り出され搬送部３８により搬送される硬貨が適正な硬貨であるか否かの判定を行うようになっている。また、搬送部３８における判定部４０よりも上流側において、逆転ローラ３９が当該搬送部３８から上方にわずかに離間して設けられており、この搬送部３８と逆転ローラ３９との間で硬貨が１枚ずつに分離されるようになっている。このような逆転ローラ３９が設けられていることにより、搬送部３８により搬送される硬貨を１枚ずつに分離することができ、この１枚ずつに分離された硬貨を判定部４０により判定することができるようになる。
【００３６】
前述のように、図２において搬送部３８の左端下方には出金一時保留部４２が設けられており、搬送部３８により図２における左方に搬送され判定部４０により判定が行われた硬貨は出金一時保留部４２に金種混合状態で一時的に保留されるようになっている。より詳細には、出金一時保留部４２は、枠体４２ａおよび底板４２ｂから構成されている。枠体４２ａはその上面および下面が開口しており、この枠体４２ａの上面に形成された開口を介して搬送部３８から枠体４２ａ内の領域に硬貨が送られるようになっている。図１および図２に示す実施の形態の硬貨処理装置１０においては、枠体４２ａはその位置が固定されており、移動しないようになっている。また、枠体４２ａの下方に設けられた底板４２ｂは、この枠体４２ａの下面の開口を選択的に塞ぐようになっており、この底板４２ｂは図２の矢印に示すように筐体１２の内部において略水平方向に移動することができるようになっている。ここで、底板４２ｂが図２における実線位置にあるときに、枠体４２ａ内の領域に硬貨が一時的に保留される。一方、底板４２ｂが図２における実線位置から二点鎖線位置に移動したときには、枠体４２ａ内の領域に一時的に保留された硬貨が下方に落下するようになっている。
【００３７】
図１および図２に示すように、筐体１２の内部において出金一時保留部４２の高さレベルよりも下方には装填部５０が設けられている。この装填部５０には、硬貨の出金を行うために用いられる出金箱５４および硬貨の回収を行うために用いられる回収カセット５６を選択的に着脱自在に装填することができるようになっている。出金箱５４および回収カセット５６の構成の詳細については後述する。そして、装填部５０に装填された出金箱５４または回収カセット５６には、出金一時保留部４２に一時的に保留された硬貨が送られるようになっている。なお、後述するように、硬貨の出金処理が行われる際には、底板４２ｂは図２における二点鎖線位置に位置するようになっており、搬送部３８から出金一時保留部４２に送られた硬貨はこの出金一時保留部４２を通過して装填部５０に装填された出金箱５４に直接的に送られるようになっている。一方、硬貨の回収処理が行われる際には、底板４２ｂは図２における実線位置に位置するようになっており、搬送部３８から出金一時保留部４２に送られた硬貨は枠体４２ａ内の領域に一時的に保留され、その後、底板４２ｂが図２における実線位置から二点鎖線位置に移動すると、枠体４２ａ内の領域に一時的に保留された硬貨が下方に落下して装填部５０に装填された回収カセット５６に収納されるようになる。
【００３８】
次に、出金箱５４の構成の詳細について図４を用いて説明する。図４は、出金箱５４の構成の詳細を示す斜視図である。図４に示すように、出金箱５４は略直方体形状のものからなり、その上面は開口している。また、出金箱５４の前面には取っ手５４ａが設けられており、この取っ手５４ａに手を掛けることにより操作者が筐体１２の前面１２ｂから出金箱５４を手前に引き出すことができるようになっている。
【００３９】
また、回収カセット５６の構成の詳細について図５および図６を用いて説明する。図５は、回収カセット５６の構成の詳細を示す斜視図であり、図６は、回収カセット５６の内部の構成の詳細を示す部分切欠斜視図である。
【００４０】
図５に示すように、回収カセット５６は略直方体形状のものからなり、その上面には開口部５６ｃが形成されている。また、回収カセット５６の前面には取っ手５６ａが設けられており、この取っ手５６ａに手を掛けることにより操作者が筐体１２の前面１２ｂから回収カセット５６を手前に引き出すことができるようになっている。
【００４１】
また、図６に示すように、回収カセット５６には、開口部５６ｃを選択的に閉止するシャッター５６ｄが設けられている。このシャッター５６ｄは、回収カセット５６が硬貨処理装置１０の装填部５０から取り外されているときには開口部５６ｃを閉止するようになっており、一方、回収カセット５６が硬貨処理装置１０の装填部５０に装填されたときには開口部５６ｃを開くようになっている。より詳細には、シャッター５６ｄは図６における実線位置（閉止位置）と二点鎖線位置（開口位置）との間で移動自在となっており、このシャッター５６ｄが図６における実線位置にあるときに開口部５６ｃが当該シャッター５６ｄにより閉止され、シャッター５６ｄが図６における二点鎖線位置にあるときに開口部５６ｃが開かれるようになっている。なお、シャッター５６ｄに何ら力が加えられていない場合には、図示しないバネ機構によりシャッター５６ｄは図６における実線位置（閉止位置）に維持されるようになっている。
【００４２】
また、回収カセット５６の内部においてシャッター５６ｄにはリンク部材５６ｅが設けられている。このリンク部材５６ｅは軸５６ｆを中心として回転可能となっている。また、回収カセット５６の側面には挿入口５６ｇが設けられている。また、硬貨処理装置１０の装填部５０には解除レバー５１が取り付けられており、回収カセット５６が装填部５０に装填されると、この装填部５０に設けられた解除レバー５１が挿入口５６ｇを介して回収カセット５６内に進入し、リンク部材５６ｅの下端を図６における手前側に押圧する。このことにより、リンク部材５６ｅは軸５６ｆを中心として回転し、このリンク部材５６ｅの上端がシャッター５６ｄを後方に（すなわち、図６における実線位置から二点鎖線位置に向かう方向に）押圧する。このことにより、バネ機構によりシャッター５６ｄに加えられる力に抗してシャッター５６ｄが図６における二点鎖線位置（開口位置）に移動し、開口部５６ｃが開かれるようになる。このようにして、回収カセット５６ｄが装填部５０から取り外されているときにはこのシャッター５６ｄおよびリンク部材５６ｅは図６における実線位置に維持され、シャッター５６ｄは開口部５６ｃを閉止する。一方、回収カセット５６ｄが装填部５０に装填されると、解除レバー５１によりリンク部材５６ｅが図６における実線位置から二点鎖線位置に回転させられ、このリンク部材５６ｅによりシャッター５６ｄが図６に実線位置から二点鎖線位置に移動させられ、開口部５６ｃが開かれるようになる。本発明においては、リンク部材５６ｅ等により、回収カセット５６のシャッター５６ｄの開閉機構が構成されている。
【００４３】
また、装填部５０には、出金箱５４および回収カセット５６のうち何れが装填部５０に装填されたかを検出する検出部５２が設けられている。より詳細に説明すると、図４および図５に示すように、出金箱５４および回収カセット５６にはそれぞれ近接スイッチ５４ｂ、５６ｂが設けられている。なお、図４および図５に示すように、出金箱５４における近接スイッチ５４ｂおよび回収カセット５６における近接スイッチ５６ｂは互いに異なる高さレベルの箇所にそれぞれ設置されている。そして、装填部５０には、出金箱５４および回収カセット５６の各近接スイッチ５４ｂ、５６ｂに対応するよう、これらの近接スイッチ５４ｂ、５６ｂを検出する２つの検出センサが上下方向に並ぶよう設けられている。これらの２つのセンサにより検出部５２が構成されている。ここで、出金箱５４が装填部５０に装填されたときには、検出部５２における下方の検出センサが近接スイッチ５４ｂを検出することにより、装填部５０に出金箱５４が装填されたことが検出される。一方、回収カセット５６が装填部５０に装填されたときには、検出部５２における上方の検出センサが近接スイッチ５６ｂを検出することにより、装填部５０に回収カセット５６が装填されたことが検出される。
【００４４】
また、装填部５０には、この装填部５０に出金箱５４または回収カセット５６が装填されたときに、装填された出金箱５４や回収カセット５６をロックするロック部（図示せず）が設けられている。ロック部により出金箱５４や回収カセット５６が装填部５０にロックされると、これらの出金箱５４や回収カセット５６を装填部５０から手前側に引き出すことができないようになる。
【００４５】
また、図３に示すように、硬貨処理装置１０には、当該硬貨処理装置１０の各構成要素の制御を行うための制御部６０が設けられている。より具体的には、制御部６０には、ホッパ２０、搬送部２２、識別部２４、入金一時保留部３２、硬貨収納繰出部３４、搬送部３８、判定部４０、出金一時保留部４２、装填部５０および検出部５２がそれぞれ接続されている。そして、識別部２４による硬貨の識別結果や判定部４０による硬貨の判定結果、ならびに検出部５２による検出結果等が制御部６０に送られるようになっている。一方、制御部６０は、ホッパ２０、搬送部２２、入金一時保留部３２、硬貨収納繰出部３４、搬送部３８、出金一時保留部４２にそれぞれ制御信号を送り、これらの構成要素の制御を行うようになっている。
【００４６】
また、制御部６０には入力部６２、表示部６４およびインターフェース６６が接続されている。入力部６２および表示部６４は筐体１２の上面１２ａや前面１２ｂに設けられている。そして、操作者は入力部６２により制御部６０に対して様々な指令を与えることができるようになっている。具体的には、例えば、操作者は入力部６２により制御部６０に対して出金処理や回収処理等の指令を与えることができるようになっている。また、制御部６０は表示部６４に対して硬貨処理装置１０における硬貨の収納状況や処理状況等を表示させるようになっている。また、表示部６４には、検出部５２により検出された、出金箱５４および回収カセット５６のうち何れが装填部５０に装填されたかという情報が表示されるようになっている。また、インターフェース６６により、制御部６０は上位装置に対して信号の送受信を行うようになっている。
【００４７】
本実施の形態の硬貨処理装置１０においては、制御部６０は、装填部５０に設けられた検出部５２による検出結果に基づいて硬貨収納繰出部３４の制御を行うようになっている。具体的には、制御部６０は、入力部６２により出金処理の指令が与えられたときに、装填部５０に出金箱５４が装填されていることが検出部５２により検出された場合のみにおいて硬貨収納繰出部３４から硬貨を繰り出させ、また、入力部６２により回収処理の指令が与えられたときに、装填部５０に回収カセット５６が装填されていることが検出部５２により検出された場合のみにおいて硬貨収納繰出部３４から硬貨を繰り出させるよう制御を行うようになっている。このような制御部６０による制御内容の詳細については後述する。
【００４８】
次に、上述のような構成からなる硬貨処理装置１０の動作について以下に説明する。なお、以下に示す硬貨処理装置１０の動作は、制御部６０が硬貨処理装置１０の各構成要素を制御することにより行われる。
【００４９】
まず、硬貨処理装置１０における硬貨の入金処理の動作について説明する。
【００５０】
操作者によって筐体１２の上面１２ａに設けられた投入口１４に硬貨が投入されると、この硬貨はホッパ２０に集積される。そして、ホッパ２０から搬送部２２に硬貨が１枚ずつ繰り出される。ホッパ２０から搬送部２２に繰り出された硬貨は識別部２４によりその金種、正損、真偽等の識別が行われる。ここで、識別部２４によりリジェクト硬貨であると識別された硬貨や、識別部２４により識別することができなかった硬貨は、入金リジェクト硬貨選別部２６により搬送部２２から入金リジェクト部３０に送られる。入金リジェクト部３０に集積された硬貨は、操作者により筐体１２の前面１２ｂから取り出されることとなる。
【００５１】
一方、識別部２４により正常な硬貨であると識別された硬貨は、当該硬貨の金種に応じて、対応する各硬貨選別部２８ａ〜２８ｆにより搬送部２２からそれぞれの入金硬貨シュートに送られる。そして、各入金硬貨シュートから入金一時保留部３２に硬貨が金種別に送られる。具体的には、入金一時保留部３２の仕切枠体３２ａおよび底板３２ｂが図１における実線位置にそれぞれ位置しており、各硬貨選別部２８ａ〜２８ｆから入金一時保留部３２に送られた硬貨は仕切枠体３２ａ内の各領域（具体的には、５円硬貨領域、１円硬貨領域、５０円硬貨領域、１００円硬貨領域、１０円硬貨領域および５００円硬貨領域）に金種別に一時的に保留される。また、識別部２４により正常な硬貨であると識別された硬貨について、この硬貨の金種に対応する硬貨収納繰出部３４が満杯である場合には、識別部２４により識別された硬貨は一括硬貨選別部２７により搬送部２２からこの一括硬貨選別部２７に対応する入金硬貨シュートに送られる。そして、この入金硬貨シュートから入金一時保留部３２に硬貨が送られるが、この硬貨は仕切枠体３２ａ内における混合硬貨領域に一時的に保留される。
【００５２】
ホッパ２０に投入された硬貨が全て入金一時保留部３２または入金リジェクト部３０に送られると、表示部６４にはこのことが表示される。そして、操作者が入力部６２により入金硬貨の入金確定の指令を制御部６０に与えた場合には、または上位装置からインターフェース６６を介して制御部６０に対して入金硬貨の入金確定の指令がなされた場合には、入金一時保留部３２の仕切枠体３２ａが図１における実線位置から二点鎖線位置に移動する。このことにより、仕切枠体３２ａの下面が開いた状態となり、この仕切枠体３２ａ内の各領域に一時的に保留された硬貨が自重により下方に落下して一括硬貨収納部３５および各硬貨収納繰出部３４ａ〜３４ｆにそれぞれ送られるようになる。より詳細には、仕切枠体３２ａ内における混合硬貨領域に一時的に保留されている硬貨は一括硬貨収納部３５に送られ、この一括硬貨収納部３５に金種混合状態で収納されるようになる。一方、仕切枠体３２ａ内における各金種の領域に一時的に保留されている硬貨は、対応する金種の各硬貨収納繰出部３４ａ〜３４ｆに送られ、これらの硬貨収納繰出部３４ａ〜３４ｆに金種別に収納されるようになる。このようにして、硬貨処理装置１０における硬貨の入金処理が終了する。
【００５３】
一方、ホッパ２０に投入された硬貨が全て入金一時保留部３２または入金リジェクト部３０に送られた後、操作者が入力部６２により入金硬貨の返却の指令を制御部６０に与えた場合には、または上位装置からインターフェース６６を介して制御部６０に対して入金硬貨の返却の指令がなされた場合には、入金一時保留部３２の底板３２ｂが図１における実線位置から二点鎖線位置に移動する。このことにより、仕切枠体３２ａの下面が開いた状態となり、仕切枠体３２ａの各領域内にある硬貨が返却箱３６に送られ、この返却箱３６に硬貨が金種混合状態で収納されるようになる。そして、操作者により返却箱３６が筐体１２の前面１２ｂから手前に引き出されることにより、この返却箱３６内の硬貨が操作者に返却されるようになる。
【００５４】
次に、硬貨処理装置１０における硬貨の出金処理の動作について説明する。
【００５５】
硬貨の出金処理を行うにあたり、操作者はまず出金箱５４を装填部５０に装填する。この際に、装填部５０に設けられた検出部５２により、装填部５０に出金箱５４が装填されたことが検出され、この検出情報が制御部６０に送られる。装填部５０に出金箱５４が装填されると、制御部６０はこの情報を表示部６４に表示させる。
【００５６】
そして、出金箱５４が装填部５０に装填された後、操作者が入力部６２により硬貨の出金処理の指令を制御部６０に与える。より詳細には、操作者により各処理モードのうち出金処理モードが入力部６２によって選択されたり、出金処理の命令が入力部６２によって制御部６０に与えられたりすることによって、制御部６０に出金処理の指令が与えられるようになる。そして、制御部６０は、装填部５０に出金箱５４が装填されていることが検出部５２により検出された場合のみにおいて各硬貨収納繰出部３４ａ〜３４ｆから各金種の硬貨について必要枚数の硬貨を下方に繰り出させ、搬送部３８に送る。ここで、装填部５０に回収カセット５６が装填されていることが検出部５２により検出された場合や、装填部５０に何も装填されていないことが検出部５２により検出された場合には、各硬貨収納繰出部３４ａ〜３４ｆから硬貨が繰り出されることはない。
【００５７】
搬送部３８は各硬貨収納繰出部３４ａ〜３４ｆから繰り出された硬貨を図２における左方向に搬送し、出金一時保留部４２にこの硬貨を送る。この際に、判定部４０により、搬送部３８から出金一時保留部４２に送られる硬貨が適正な硬貨であるか否かの判定が行われる。
【００５８】
硬貨の出金処理が行われる際に、出金一時保留部４２における底板４２ｂは図２における二点鎖線位置に位置するようになっている。このことにより、搬送部３８から出金一時保留部４２の枠体４２ａ内に送られた硬貨はこの枠体４２ａを通過してそのまま装填部５０に装填された出金箱５４に送られ、この出金箱５４に硬貨が金種混合状態で収納されるようになる。このように、硬貨の出金処理が行われる際には、各硬貨収納繰出部３４ａ〜３４ｆから繰り出され搬送部３８により搬送される硬貨は出金一時保留部４２に保留することなく装填部５０に装填された出金箱５４に直接的に送られるようになる。
【００５９】
出金されるべき金種毎の枚数の硬貨が全て各硬貨収納繰出部３４ａ〜３４ｆから繰り出されて出金箱５４に送られると、表示部６４にこのことが表示される。そして、操作者により出金箱５４が筐体１２の前面１２ｂから手前に引き出されることにより、この出金箱５４内の硬貨を操作者が取り出すことができるようになる。このようにして、硬貨の出金処理が終了する。
【００６０】
なお、上述のような出金処理が行われる間に、搬送部３８から出金一時保留部４２に送られる硬貨に適正ではない硬貨があると判定部４０により判定されると、エラーとなり装填部５０に設けられたロック部により出金箱５４が装填部５０から取り出せないようにロックされると共に、表示部６４に出金エラーが発生した旨を表示し、管理者等による所定の復旧処理が行われる。上述のような動作が行われることにより、適正ではない硬貨が出金されることを防止することができる。
【００６１】
次に、硬貨処理装置１０における硬貨の回収処理の動作について説明する。
【００６２】
硬貨の回収処理を行うにあたり、操作者はまず回収カセット５６を装填部５０に装填する。この際に、装填部５０に設けられた検出部５２により、装填部５０に回収カセット５６が装填されたことが検出され、この検出情報が制御部６０に送られる。装填部５０に回収カセット５６が装填されると、制御部６０はこの情報を表示部６４に表示させる。
【００６３】
そして、回収カセット５６が装填部５０に装填された後、操作者が入力部６２により硬貨の回収処理の指令を制御部６０に与える。より詳細には、操作者により各処理モードのうち回収処理モードが入力部６２によって選択されたり、回収処理の命令が入力部６２によって制御部６０に与えられたりすることによって、制御部６０に回収処理の指令が与えられるようになる。そして、制御部６０は、装填部５０に回収カセット５６が装填されていることが検出部５２により検出された場合のみにおいて各硬貨収納繰出部３４ａ〜３４ｆから各金種の硬貨について必要枚数の硬貨を下方に繰り出させ、搬送部３８に送る。ここで、装填部５０に出金箱５４が装填されていることが検出部５２により検出された場合や、装填部５０に何も装填されていないことが検出部５２により検出された場合には、各硬貨収納繰出部３４ａ〜３４ｆから硬貨が繰り出されることはない。
【００６４】
搬送部３８は各硬貨収納繰出部３４ａ〜３４ｆから繰り出された硬貨を図２における左方向に搬送し、出金一時保留部４２にこの硬貨を送る。この際に、判定部４０により、搬送部３８から出金一時保留部４２に送られる硬貨が適正な硬貨であるか否かの判定が行われる。
【００６５】
硬貨の回収処理が行われる際に、出金一時保留部４２における底板４２ｂは図２における実線位置に位置するようになっている。このことにより、枠体４２ａの底面の開口が底板４２ｂにより塞がれ、搬送部３８から出金一時保留部４２に送られた硬貨は枠体４２ａ内に一時的に保留されるようになる。
【００６６】
そして、回収されるべき金種毎の枚数の硬貨が全て各硬貨収納繰出部３４ａ〜３４ｆから繰り出されて出金一時保留部４２に送られると、表示部６４にはこのことが表示される。そして、操作者が入力部６２により回収確定の指令を制御部６０に与えると、出金一時保留部４２の底板４２ｂが図２における実線位置から二点鎖線位置に移動し、出金一時保留部４２に一時的に保留された硬貨が回収カセット５６に送られる。そして、回収カセット５６に硬貨が送られると、操作者により回収カセット５６が筐体１２の前面１２ｂから手前に引き出されることにより、硬貨が回収カセット５６ごと回収されるようになる。このようにして、硬貨の回収処理が終了する。
【００６７】
なお、上述のような回収処理が行われる間に、搬送部３８から出金一時保留部４２に送られる硬貨に適正ではない硬貨があると判定部４０により判定されると、表示部６４にはこのことが表示される。そして、回収されるべき金種毎の枚数の硬貨が全て出金一時保留部４２に送られても、この出金一時保留部４２の底板４２ｂは図２における実線位置から二点鎖線位置に移動しない。このことにより、出金一時保留部４２に一時的に保留された硬貨が回収カセット５６に送られないようになる。上述のような動作が行われることにより、適正ではない硬貨が回収されることを防止することができる。
【００６８】
以上のように本実施の形態の硬貨処理装置１０によれば、装填部５０には、硬貨の出金を行うために用いられる出金箱５４および硬貨の回収を行うために用いられる回収カセット５６を選択的に着脱自在に装填することができるようになっており、検出部５２により、出金箱５４および回収カセット５６のうち何れが装填部５０に装填されたかを検出するようになっており、制御部６０は検出部５２による検出結果に基づいて硬貨収納繰出部３４の制御を行うようになっている。このように、一つの装填部５０に出金箱５４および回収カセット５６の両方を選択的に着脱自在に装填可能とすることにより、省スペース化を図ることができる。また、この場合には出金一時保留部４２を移動させる必要がなくなるので、硬貨処理装置の装置本体内で出金箱および回収カセットを並列に設置した場合と比較して、硬貨の処理時間を短くすることができる。
【００６９】
また、本実施の形態の硬貨処理装置１０によれば、入力部６２により出金処理の指令が与えられたときに、装填部５０に出金箱５４が装填されていることが検出部５２により検出された場合のみにおいて硬貨収納繰出部３４から硬貨を繰り出させ、また、入力部６２により回収処理の指令が与えられたときに、装填部５０に回収カセット５６が装填されていることが検出部５２により検出された場合のみにおいて硬貨収納繰出部３４から硬貨を繰り出させるようになっている。このため、出金処理や回収処理を行う際に、出金箱５４や回収カセット５６に出金硬貨や回収硬貨を確実に収納させることができるようになる。すなわち、出金硬貨を行う際に装填部５０に回収カセット５６が誤って装填された場合でも、硬貨収納繰出部３４から硬貨が繰り出されないようになるため、この回収カセット５６に出金硬貨が収納されることはない。同様に、回収硬貨を行う際に装填部５０に出金箱５４が誤って装填された場合でも、硬貨収納繰出部３４から硬貨が繰り出されないようになるため、この出金箱５４に回収硬貨が収納されることはない。
【００７０】
また、本実施の形態の硬貨処理装置１０によれば、硬貨収納繰出部３４から繰り出され判定部４０により判定が行われた硬貨を一時的に保留する出金一時保留部４２が設けられており、硬貨収納繰出部３４から繰り出された硬貨が適正な硬貨ではないと判定部４０により判定されたときに、出金一時保留部４２に一時的に保留された硬貨を装填部５０に装填された出金箱５４または回収カセット５６に送らないようになっている。このため、適正ではない硬貨が出金されたり回収されたりすることを防止することができる。
【００７１】
また、本実施の形態の硬貨処理装置１０によれば、入力部６２により出金処理の指令が与えられたときに、装填部５０に出金箱５４が装填されていることが検出部５２により検出された場合には、硬貨収納繰出部３４から繰り出された硬貨を、出金一時保留部４２に保留することなく装填部５０に装填された出金箱５４に送り、また、入力部６２により回収処理の指令が与えられたときに、装填部５０に回収カセット５６が装填されていることが検出部５２により検出された場合には、硬貨収納繰出部３４から繰り出された硬貨を出金一時保留部４２に一旦保留させ、出金一時保留部４２に保留された硬貨を装填部５０に装填された回収カセット５６に送るようになっている。
【００７２】
また、本実施の形態の硬貨処理装置１０によれば、検出部５２により検出された、出金箱５４および回収カセット５６のうち何れが装填部５０に装填されたかという情報が表示部６４に表示されるようになっている。このことにより、操作者は、出金箱５４および回収カセット５６のうち何れが装填部５０に装填されたかを瞬時に判断することができるようになり、装填部５０に出金箱５４や回収カセット５６が誤って装填された場合でも操作者はすぐにこのことに気付くことができるようになる。
【００７３】
なお、本実施の形態による硬貨処理装置１０は、上記の態様に限定されるものではなく、様々の変更を加えることができる。
【００７４】
例えば、硬貨の出金処理が行われる際に、出金一時保留部４２における底板４２ｂは図２における二点鎖線位置ではなく実線位置に位置するようになっていてもよい。この場合には、枠体４２ａの底面の開口が底板４２ｂにより塞がれ、搬送部３８から出金一時保留部４２に送られた硬貨は枠体４２ａ内に一時的に保留されるようになる。
【００７５】
そして、出金されるべき金種毎の枚数の硬貨が各硬貨収納繰出部３４ａ〜３４ｆから繰り出されて出金一時保留部４２に送られると、表示部６４にはこのことが表示される。そして、操作者が入力部６２により出金確定の指令を制御部６０に与えると、出金一時保留部４２の底板４２ｂが図２における実線位置から二点鎖線位置に移動し、出金一時保留部４２に一時的に保留された硬貨が出金箱５４に送られる。そして、出金箱５４に硬貨が送られると、操作者により出金箱５４が筐体１２の前面１２ｂから手前に引き出されることにより、この出金箱５４内の硬貨を操作者が取り出すことができるようになる。
【００７６】
硬貨の出金処理が行われる際に出金一時保留部４２に硬貨が一時的に保留される場合において、搬送部３８から出金一時保留部４２に送られる硬貨に適正ではない硬貨があると判定部４０により判定されると、表示部６４にはこのことが表示される。そして、出金されるべき金種毎の枚数の硬貨が全て出金一時保留部４２に送られても、この出金一時保留部４２の底板４２ｂは図２における実線位置から二点鎖線位置に移動しない。このことにより、出金一時保留部４２に一時的に保留された硬貨が出金箱５４に送られないようになる。上述のような動作が行われることにより、適正ではない硬貨が出金されることを防止することができる。
【００７７】
また、他の変形例として、入力部６２により出金処理の指令が与えられたときに、装填部５０に出金箱５４が装填されていないことが検出部５２により検出された場合には、装填部５０に出金箱５４を装填することを促すガイダンスを表示部６４に表示させるようになっていてもよい。また、入力部６２により回収処理の指令が与えられたときに、装填部５０に回収カセット５６が装填されていないことが検出部５２により検出された場合には、装填部５０に回収カセット５６を装填することを促すガイダンスを表示部６４に表示させるようになっていてもよい。これらの場合には、装填部５０に出金箱５４や回収カセット５６が装填されていないときには操作者はすぐにこのことに気付くことができるようになる。
【００７８】
また、硬貨の出金処理や回収処理において、操作者がこれらの出金処理や回収処理の指令を入力部６２により制御部６０に与える前に、装填部５０に出金箱５４や回収カセット５６を必ずしも装填する必要はない。すなわち、操作者が出金処理や回収処理の指令を入力部６２により制御部６０に与えた後、装填部５０に出金箱５４や回収カセット５６を装填するようにしてもよい。この場合には、装填部５０に出金箱５４や回収カセット５６が装填された後に、硬貨収納繰出部３４から硬貨が繰り出されるようになる。
【００７９】
更に他の変形例においては、硬貨の出金処理や回収処理において、操作者が出金処理や回収処理の指令を入力部６２により制御部６０に与えた後、装填部５０に出金箱５４や回収カセット５６が装填されていないときでも、硬貨収納繰出部３４から硬貨が繰り出されるようになっていてもよい。この場合には、出金処理および回収処理の両方の場合において、硬貨収納繰出部３４から繰り出された硬貨は出金一時保留部４２に一時的に保留されるようになる。そして、硬貨収納繰出部３４から必要枚数の硬貨が繰り出され、この繰り出された硬貨が全て出金一時保留部４２に一時的に保留された後、装填部５０に出金箱５４や回収カセット５６を装填するようになる。この際に、装填部５０に出金箱５４や回収カセット５６が適切に装填されていないことが検出部５２により検出されたときには、出金一時保留部４２から出金箱５４や回収カセット５６に硬貨が送られることはない。また、この場合には、装填部５０に適切な出金箱５４や回収カセット５６を装填することを促すガイダンスが表示部６４に表示されるようになる。一方、装填部５０に出金箱５４や回収カセット５６が適切に装填されていることが検出部５２により検出されたときには、出金一時保留部４２から出金箱５４や回収カセット５６に硬貨が送られるようになる。
【００８０】
また、本実施の形態の硬貨処理装置においては、出金一時保留部４２の設置を省略することができる。このような硬貨処理装置について図７および図８を用いて説明する。図７は、第１の実施の形態の変形例における硬貨処理装置１０ａの構成を示す前面図であり、図８は、図７に示す硬貨処理装置１０ａの側面図である。
【００８１】
図７および図８に示すように、変形例に係る硬貨処理装置１０ａは、出金一時保留部４２の設置が省略されていること以外は図１および図２に示すような硬貨処理装置１０と同様の構成となっている。
【００８２】
図７および図８に示すような硬貨処理装置１０ａでは、出金一時保留部４２が設けられていないので、出金処理および回収処理の両方の場合において、硬貨収納繰出部３４から繰り出され搬送部３８により搬送される硬貨は、判定部４０により判定された後、装填部５０に装填された出金箱５４や回収カセット５６に直接的に送られるようになる。
【００８３】
また、図７および図８に示すような硬貨処理装置１０ａでは、図１および図２に示すような硬貨処理装置１０と同様に、制御部６０は、装填部５０に設けられた検出部５２による検出結果に基づいて硬貨収納繰出部３４の制御を行うようになっている。具体的には、入力部６２により出金処理の指令が与えられたときに、装填部５０に出金箱５４が装填されていることが検出部５２により検出された場合のみにおいて硬貨収納繰出部３４から硬貨を繰り出させ、また、入力部６２により回収処理の指令が与えられたときに、装填部５０に回収カセット５６が装填されていることが検出部５２により検出された場合のみにおいて硬貨収納繰出部３４から硬貨を繰り出させるようになっている。このため、図７および図８に示すような硬貨処理装置１０ａにおいて、出金一時保留部４２が設けられていなくとも、出金処理や回収処理を行う際に、出金箱５４や回収カセット５６に出金硬貨や回収硬貨をそれぞれ確実に収納させることができるようになる。
【００８４】
〔第２の実施の形態〕
以下、図面を参照して本発明の第２の実施の形態について説明する。図９乃至図１１は、第２の実施の形態に係る硬貨処理装置（硬貨入出金装置）を示す図である。このうち、図９は、本実施の形態における硬貨処理装置の構成を示す前面図であり、図１０は、図９に示す硬貨処理装置の側面図である。また、図１１は、図９等に示す硬貨処理装置の機能ブロック図である。なお、以下に示す第２の実施の形態の説明において、第１の実施の形態と同一部分には同一符号を付して詳細な説明を省略する。
【００８５】
図９および図１０に示すように、第２の実施の形態における硬貨処理装置１１は、第１の実施の形態における硬貨処理装置１０と比較して、出金リジェクト部５８が装填部５０と並列に並ぶよう設けられており、出金一時保留部４２に一時的に保留された硬貨が装填部５０に装填された出金箱５４や回収カセット５６のみならず出金リジェクト部５８にも送られ得るようになっている点が異なるのみであり、他の部分については第１の実施の形態における硬貨処理装置１０とほぼ同様の構成となっている。以下、第２の実施の形態における硬貨処理装置１１の構成および動作を説明するにあたり、第１の実施の形態における硬貨処理装置１０と異なる点についてのみ記載する。
【００８６】
図９および図１０に示すように、筐体１２の内部において出金一時保留部４２の高さレベルよりも下方には出金リジェクト部５８が設けられている。この出金リジェクト部５８は例えばリジェクト箱から構成されており、操作者はこのリジェクト箱を筐体１２から取り出すことができるようになっている。なお、出金リジェクト部５８は、筐体１２から取り出し可能なリジェクト箱から構成されるものに限定されることはない。出金リジェクト部５８の他の例として、筐体１２内に固定され、筐体１２から取り出すことができないものを用いてもよい。
【００８７】
第２の実施の形態における硬貨処理装置１１でも、第１の実施の形態における硬貨処理装置１０と同様に、出金一時保留部４２は、枠体４２ａおよび底板４２ｂから構成されている。しかし、第２の実施の形態における硬貨処理装置１１では、枠体４２ａおよび底板４２ｂの両方が、それぞれ互いに独立して、図１０の矢印に示すように筐体１２の内部において略水平方向に移動することができるようになっている。より詳細には、枠体４２ａには枠体駆動部が設けられており、この枠体駆動部は、枠体４２ａを、装填部５０の真上の位置である実線位置と、出金リジェクト部５８の真上の位置である二点鎖線位置との間で移動させることができるようになっている。同様に、底板４２ｂには底板駆動部が設けられており、この底板駆動部は、底板４２ｂを、実線位置にある枠体４２ａの下方にある位置（実線位置）と、二点鎖線位置にある枠体４２ａの下方にある位置（二点鎖線位置）との間で移動させることができるようになっている。ここで、枠体４２ａおよび底板４２ｂがそれぞれ実線位置にあるときには、枠体４２ａの下面の開口が底板４２ｂにより塞がれ、この枠体４２ａ内に硬貨が一時的に保留されることなる。また、枠体４２ａおよび底板４２ｂが同期して水平方向に移動し、枠体４２ａおよび底板４２ｂがそれぞれ実線位置から二点鎖線位置に移動したときにも、枠体４２ａの下面の開口が底板４２ｂにより塞がれたままとなり、この枠体４２ａ内に硬貨が一時的に保留され続けることなる。その後、底板４２ｂが二点鎖線位置から実線位置に移動すると、枠体４２ａの下面の開口が開かれることにより、枠体４２ａ内に一時的に保留された硬貨が出金リジェクト部５８に送られるようになる。これらの枠体駆動部および底板駆動部により、出金一時保留部４２に一時的に保留された硬貨を、装填部５０に装填された出金箱５４または回収カセット５６、または出金リジェクト部５８のうちいずれか一方に選択的に送るよう硬貨の振り分けを行う振分機構５９（図１１参照）が構成されている。
【００８８】
図１１に示すように、第２の実施の形態の硬貨処理装置１１における制御部６０には振分機構５９が接続されている。制御部６０は、他の構成要素に加えてこの振分機構５９にも制御信号を送り、当該振分機構５９の制御を行うようになっている。
【００８９】
第２の実施の形態における硬貨処理装置１１でも、第１の実施の形態における硬貨処理装置１０と同様に、表示部６４には、検出部５２により検出された、出金箱５４および回収カセット５６のうち何れが装填部５０に装填されたかという情報が表示されるようになっている。
【００９０】
次に、上述のような構成からなる硬貨処理装置１１の動作について以下に説明する。以下に示す硬貨処理装置１１の動作は、制御部６０が硬貨処理装置１１の各構成要素を制御することにより行われる。なお、硬貨の入金処理の動作については、第１の実施の形態の硬貨処理装置１０における硬貨の入金処理の動作と同一であるためその説明を省略する。
【００９１】
まず、硬貨処理装置１１における硬貨の出金処理の動作について説明する。
【００９２】
硬貨の出金処理を行うにあたり、操作者はまず出金箱５４を装填部５０に装填する。この際に、装填部５０に設けられた検出部５２により、装填部５０に出金箱５４が装填されたことが検出され、この検出情報が制御部６０に送られる。装填部５０に出金箱５４が装填されると、制御部６０はこの情報を表示部６４に表示させる。
【００９３】
そして、出金箱５４が装填部５０に装填された後、操作者が入力部６２により硬貨の出金処理の指令を制御部６０に与える。制御部６０は、装填部５０に出金箱５４が装填されていることが検出部５２により検出された場合のみにおいて各硬貨収納繰出部３４ａ〜３４ｆから各金種の硬貨について必要枚数の硬貨を下方に繰り出させ、搬送部３８に送る。ここで、装填部５０に回収カセット５６が装填されていることが検出部５２により検出された場合や、装填部５０に何も装填されていないことが検出部５２により検出された場合には、各硬貨収納繰出部３４ａ〜３４ｆから硬貨が繰り出されることはない。
【００９４】
搬送部３８は各硬貨収納繰出部３４ａ〜３４ｆから繰り出された硬貨を図１０における左方向に搬送し、出金一時保留部４２にこの硬貨を送る。この際に、判定部４０により、搬送部３８から出金一時保留部４２に送られる硬貨が適正な硬貨であるか否かの判定が行われる。
【００９５】
硬貨の出金処理が行われる際に、出金一時保留部４２における枠体４２ａおよび底板４２ｂはそれぞれ図１０における実線位置に位置するようになっている。このことにより、枠体４２ａの底面の開口が底板４２ｂにより塞がれ、搬送部３８から出金一時保留部４２に送られた硬貨は枠体４２ａ内に一時的に保留されるようになる。
【００９６】
そして、出金されるべき金種毎の枚数の硬貨が全て各硬貨収納繰出部３４ａ〜３４ｆから繰り出されて出金一時保留部４２に送られると、表示部６４にはこのことが表示される。その後、操作者が入力部６２により出金確定の指令を制御部６０に与えると、出金一時保留部４２の底板４２ｂが図１０における実線位置から二点鎖線位置に移動し、枠体４２ａの底面の開口が開くことにより、出金一時保留部４２に一時的に保留された硬貨が出金箱５４に送られる。そして、出金箱５４に硬貨が送られると、操作者により出金箱５４が筐体１２の前面１２ｂから手前に引き出されることにより、この出金箱５４内の硬貨を操作者が取り出すことができるようになる。このようにして、硬貨の出金処理が終了する。
【００９７】
なお、上述のような出金処理が行われる間に、搬送部３８から出金一時保留部４２に送られる硬貨に適正ではない硬貨があると判定部４０により判定されると、各硬貨収納繰出部３４ａ〜３４ｆから繰り出された硬貨が全て出金一時保留部４２に送られた後に、振分機構５９によって出金一時保留部４２の枠体４２ａおよび底板４２ｂが同期して実線位置から二点鎖線位置に移動する。この際に、枠体４２ａの下面の開口が底板４２ｂにより塞がれたままとなり、この枠体４２ａ内に硬貨が一時的に保留され続けることなる。その後、底板４２ｂが二点鎖線位置から実線位置に移動すると、枠体４２ａの下面の開口が開かれることにより、枠体４２ａ内に一時的に保留された硬貨が出金リジェクト部５８に送られる。このようにして、硬貨収納繰出部３４から繰り出された硬貨が適正な硬貨ではないと判定部４０により判定されたときに、振分機構５９は、出金一時保留部４２に一時的に保留された硬貨を出金リジェクト部５８に送るようになる。上述のような動作が行われることにより、適正ではない硬貨が出金されることを防止することができる。
【００９８】
次に、硬貨処理装置１１における硬貨の回収処理の動作について説明する。
【００９９】
硬貨の回収処理を行うにあたり、操作者はまず回収カセット５６を装填部５０に装填する。この際に、装填部５０に設けられた検出部５２により、装填部５０に回収カセット５６が装填されたことが検出され、この検出情報が制御部６０に送られる。装填部５０に回収カセット５６が装填されると、制御部６０はこの情報を表示部６４に表示させる。
【０１００】
そして、回収カセット５６が装填部５０に装填された後、操作者が入力部６２により硬貨の回収処理の指令を制御部６０に与える。制御部６０は、装填部５０に回収カセット５６が装填されていることが検出部５２により検出された場合のみにおいて各硬貨収納繰出部３４ａ〜３４ｆから各金種の硬貨について必要枚数の硬貨を下方に繰り出させ、搬送部３８に送る。ここで、装填部５０に出金箱５４が装填されていることが検出部５２により検出された場合や、装填部５０に何も装填されていないことが検出部５２により検出された場合には、各硬貨収納繰出部３４ａ〜３４ｆから硬貨が繰り出されることはない。
【０１０１】
搬送部３８は各硬貨収納繰出部３４ａ〜３４ｆから繰り出された硬貨を図１０における左方向に搬送し、出金一時保留部４２にこの硬貨を送る。この際に、判定部４０により、搬送部３８から出金一時保留部４２に送られる硬貨が適正な硬貨であるか否かの判定が行われる。
【０１０２】
硬貨の回収処理が行われる際に、出金一時保留部４２における枠体４２ａおよび底板４２ｂはそれぞれ図１０における実線位置に位置するようになっている。このことにより、枠体４２ａの底面の開口が底板４２ｂにより塞がれ、搬送部３８から出金一時保留部４２に送られた硬貨は枠体４２ａ内に一時的に保留されるようになる。
【０１０３】
そして、回収されるべき金種毎の枚数の硬貨が全て各硬貨収納繰出部３４ａ〜３４ｆから繰り出されて出金一時保留部４２に送られると、表示部６４にはこのことが表示される。その後、操作者が入力部６２により回収確定の指令を制御部６０に与えると、出金一時保留部４２の底板４２ｂが図１０における実線位置から二点鎖線位置に移動し、枠体４２ａの底面の開口が開くことにより、出金一時保留部４２に一時的に保留された硬貨が回収カセット５６に送られる。そして、回収カセット５６に硬貨が送られると、操作者により回収カセット５６が筐体１２の前面１２ｂから手前に引き出されることにより、硬貨が回収カセット５６ごと回収されるようになる。このようにして、硬貨の回収処理が終了する。
【０１０４】
なお、上述のような回収処理が行われる間に、搬送部３８から出金一時保留部４２に送られる硬貨に適正ではない硬貨があると判定部４０により判定されると、各硬貨収納繰出部３４ａ〜３４ｆから繰り出された硬貨が全て出金一時保留部４２に送られた後に、振分機構５９によって出金一時保留部４２の枠体４２ａおよび底板４２ｂが同期して実線位置から二点鎖線位置に移動する。この際に、枠体４２ａの下面の開口が底板４２ｂにより塞がれたままとなり、この枠体４２ａ内に硬貨が一時的に保留され続けることなる。その後、底板４２ｂが二点鎖線位置から実線位置に移動すると、枠体４２ａの下面の開口が開かれることにより、枠体４２ａ内に一時的に保留された硬貨が出金リジェクト部５８に送られる。このようにして、硬貨収納繰出部３４から繰り出された硬貨が適正な硬貨ではないと判定部４０により判定されたときに、振分機構５９は、出金一時保留部４２に一時的に保留された硬貨を出金リジェクト部５８に送るようになる。上述のような動作が行われることにより、適正ではない硬貨が回収されることを防止することができる。
【０１０５】
以上のように本実施の形態の硬貨処理装置１１によれば、装填部５０には、硬貨の出金を行うために用いられる出金箱５４および硬貨の回収を行うために用いられる回収カセット５６を選択的に着脱自在に装填することができるようになっており、出金リジェクト部５８には、出金一時保留部４２に一時的に保留された硬貨が送られ得るようになっており、振分機構５９は、判定部４０による判定結果に基づいて、出金一時保留部４２に一時的に保留された硬貨を、装填部５０に装填された出金箱５４または回収カセット５６、または出金リジェクト部５８のうちいずれか一方に選択的に送るようになっている。このように、一つの装填部５０に出金箱５４および回収カセット５６の両方を選択的に着脱自在に装填可能とすることにより、省スペース化を図ることができる。また、この場合には出金一時保留部４２は、装填部５０の上方の位置および出金リジェクト部５８の上方の位置の２つの位置の間を移動するだけでよいので、硬貨処理装置の装置本体内で出金箱、回収カセットおよび出金リジェクト部の３つの構成要素を並列に設置した場合と比較して、硬貨の処理時間を短くすることができる。
【０１０６】
また、本実施の形態の硬貨処理装置１１によれば、振分機構５９は、硬貨収納繰出部３４から繰り出された硬貨が全て適正な硬貨であると判定部４０により判定されたときに、出金一時保留部４２に一時的に保留された硬貨を装填部５０に装填された出金箱５４または回収カセット５６に送り、一方、硬貨収納繰出部３４から繰り出された硬貨が適正な硬貨ではないと判定部４０により判定されたときに、出金一時保留部４２に一時的に保留された硬貨を出金リジェクト部５８に送るようになっている。このことより、出金処理や回収処理を行う際に、適正ではない硬貨が出金されたり回収されたりすることを防止することができる。
【０１０７】
また、本実施の形態の硬貨処理装置１１によれば、第１の実施の形態の硬貨処理装置１０と同様に、検出部５２により検出された、出金箱５４および回収カセット５６のうち何れが装填部５０に装填されたかという情報が表示部６４に表示されるようになっている。このことにより、操作者は、出金箱５４および回収カセット５６のうち何れが装填部５０に装填されたかを瞬時に判断することができるようになり、装填部５０に出金箱５４や回収カセット５６が誤って装填された場合でも操作者はすぐにこのことに気付くことができるようになる。
【０１０８】
なお、本実施の形態による硬貨処理装置１１は、上記の態様に限定されるものではなく、様々の変更を加えることができる。
【０１０９】
例えば、硬貨の出金処理が行われる際に、枠体４２ａが図１０における実線位置に位置するとともに底板４２ｂが図１０における二点鎖線位置に位置するようになっていてもよい。この場合には、搬送部３８から出金一時保留部４２の枠体４２ａに送られた硬貨はこの枠体４２ａを通過してそのまま装填部５０に装填された出金箱５４に送られ、この出金箱５４に硬貨が金種混合状態で収納されるようになる。このように、硬貨の出金処理が行われる際には、各硬貨収納繰出部３４ａ〜３４ｆから繰り出され搬送部３８により搬送される硬貨は出金一時保留部４２に保留することなく装填部５０に装填された出金箱５４に直接的に送られるようになる。
【０１１０】
なお、上述のような出金処理が行われる間に、搬送部３８から出金一時保留部４２に送られる硬貨に適正ではない硬貨があると判定部４０により判定されると、エラーとなり装填部５０に設けられたロック部により出金箱５４が装填部５０から取り出せないようにロックされると共に、表示部６４に出金エラーが発生した旨を表示し、管理者等による所定の復旧処理が行われる。これらの動作が行われることにより、適正ではない硬貨が出金されることを防止することができる。
【０１１１】
また、他の変形例として、入力部６２により出金処理の指令が与えられたときに、装填部５０に出金箱５４が装填されていないことが検出部５２により検出された場合には、装填部５０に出金箱５４を装填することを促すガイダンスを表示部６４に表示させるようになっていてもよい。また、入力部６２により回収処理の指令が与えられたときに、装填部５０に回収カセット５６が装填されていないことが検出部５２により検出された場合には、装填部５０に回収カセット５６を装填することを促すガイダンスを表示部６４に表示させるようになっていてもよい。これらの場合には、装填部５０に出金箱５４や回収カセット５６が装填されていないときには操作者はすぐにこのことに気付くことができるようになる。
【０１１２】
また、硬貨の出金処理や回収処理において、操作者がこれらの出金処理や回収処理の指令を入力部６２により制御部６０に与える前に、装填部５０に出金箱５４や回収カセット５６を必ずしも装填する必要はない。すなわち、操作者が出金処理や回収処理の指令を入力部６２により制御部６０に与えた後、装填部５０に出金箱５４や回収カセット５６を装填するようにしてもよい。この場合には、装填部５０に出金箱５４や回収カセット５６が装填された後に、硬貨収納繰出部３４から硬貨が繰り出されるようになる。
【０１１３】
更に他の変形例においては、硬貨の出金処理や回収処理において、操作者が出金処理や回収処理の指令を入力部６２により制御部６０に与えた後、装填部５０に出金箱５４や回収カセット５６が装填されていないときでも、硬貨収納繰出部３４から硬貨が繰り出されるようになっていてもよい。この場合には、出金処理および回収処理の両方の場合において、硬貨収納繰出部３４から繰り出された硬貨は出金一時保留部４２に一時的に保留されるようになる。そして、硬貨収納繰出部３４から必要枚数の硬貨が繰り出され、この繰り出された硬貨が全て出金一時保留部４２に一時的に保留された後、装填部５０に出金箱５４や回収カセット５６を装填するようになる。
【０１１４】
この場合、振分機構５９は、入力部６２により出金処理の指令が与えられたときに、装填部５０に出金箱５４が装填されていることが検出部５２により検出された場合のみにおいて出金一時保留部４２から装填部５０に装填された出金箱５４に硬貨を送り、また、入力部６２により回収処理の指令が与えられたときに、装填部５０に回収カセット５６が装填されていることが検出部５２により検出された場合のみにおいて出金一時保留部４２から装填部５０に装填された回収カセット５６に硬貨を送るようになっていてもよい。このことにより、出金処理や回収処理を行う際に、出金箱５４や回収カセット５６に出金硬貨や回収硬貨を確実に収納させることができるようになる。すなわち、出金硬貨を行う際に装填部５０に回収カセット５６が誤って装填された場合でも、出金一時保留部４２から装填部５０に装填された回収カセット５６に硬貨が送られないようになるため、この回収カセット５６に出金硬貨が収納されることはない。同様に、回収硬貨を行う際に装填部５０に出金箱５４が誤って装填された場合でも、出金一時保留部４２から装填部５０に装填された出金箱５４に硬貨が送られないようになるため、この出金箱５４に回収硬貨が収納されることはない。
【０１１５】
また、この場合、出金一時保留部４２に硬貨が一時的に保留された後、装填部５０に出金箱５４または回収カセット５６が適切に装填されていないことが検出部５２により検出された場合に、装填部５０に適切な出金箱５４や回収カセット５６を装填することを促すガイダンスが表示部６４に表示されるようになっていてもよい。このことにより、装填部５０に出金箱５４や回収カセット５６が装填されていないときには操作者はすぐにこのことに気付くことができるようになる。
【０１１６】
また、上述のような第１および第２の実施の形態において、装填部５０は、大きさが異なる複数の種類の回収カセットが選択的に着脱自在に装填され得るようになっていてもよい。このような例について図１２を用いて具体的に説明する。
【０１１７】
図１２に示すように、装填部５０には、回収カセットとして、比較的小さなサイズの回収カセット５６ｐおよび比較的大きなサイズの回収カセット５６ｑをそれぞれ装填することができるようになっている。ここで、比較的小さなサイズの回収カセット５６ｐが装填部５０に装填されたときには、この回収カセット５６ｐは筐体１２内に完全に収容されるようになる。一方、比較的大きなサイズの回収カセット５６ｑが装填部５０に装填されたときには、この回収カセット５６ｑの一部は筐体１２から外部に突出するようになる。図１２（ｂ）に示すように、比較的大きなサイズの回収カセット５６ｑが装填部５０に装填された場合でも、図５および図６に示すように、回収カセットの上面に開口部が形成されるとともに、この開口部を選択的に閉止するシャッターが設けられる場合には、この開口部が筐体１２の内部に位置することにより、装填部５０に装填された回収カセット５６ｑの一部が筐体１２から外部に突出している場合でも、この回収カセット５６ｑ内にある硬貨が外部に取り出されてしまうことを防止することができる。
【０１１８】
なお、図１２では２つの異なるサイズの回収カセットをそれぞれ装填部５０に装填することができることについて示されているが、３つ以上の異なるサイズの回収カセットが装填部５０に選択的に着脱自在に装填され得るようになっていてもよい。
【符号の説明】
【０１１９】
１０、１０ａ  硬貨処理装置
１１  硬貨処理装置
１２  筐体
１２ａ  上面
１２ｂ  前面
１４  投入口
２０  ホッパ
２２  搬送部
２４  識別部
２６  入金リジェクト硬貨選別部
２７  一括硬貨選別部
２８ａ  ５円硬貨選別部
２８ｂ  １円硬貨選別部
２８ｃ  ５０円硬貨選別部
２８ｄ  １００円硬貨選別部
２８ｅ  １０円硬貨選別部
２８ｆ  ５００円硬貨選別部
３０  入金リジェクト部
３２  入金一時保留部
３２ａ  仕切枠体
３２ｂ  底板
３４  硬貨収納繰出部
３４ａ  ５円硬貨収納繰出部
３４ｂ  １円硬貨収納繰出部
３４ｃ  ５０円硬貨収納繰出部
３４ｄ  １００円硬貨収納繰出部
３４ｅ  １０円硬貨収納繰出部
３４ｆ  ５００円硬貨収納繰出部
３５  一括硬貨収納部
３６  返却箱
３８  搬送部
３９  逆転ローラ
４０  判定部
４２  出金一時保留部
４２ａ  枠体
４２ｂ  底板
５０  装填部
５１  解除レバー
５２  検出部
５４  出金箱
５４ａ  取っ手
５４ｂ  近接スイッチ
５６、５６ｐ、５６ｑ  回収カセット
５６ａ  取っ手
５６ｂ  近接スイッチ
５６ｃ  開口部
５６ｄ  シャッター
５６ｅ  リンク部材
５６ｆ  軸
５６ｇ  挿入口
５８  出金リジェクト部
５９  振分機構
６０  制御部
６２  入力部
６４  表示部
６６  インターフェース
【図１】
0005674501.tif 000002
【図２】
0005674501.tif 000003
【図３】
0005674501.tif 000004
【図４】
0005674501.tif 000005
【図５】
0005674501.tif 000006
【図６】
0005674501.tif 000007
【図７】
0005674501.tif 000008
【図８】
0005674501.tif 000009
【図９】
0005674501.tif 000010
【図１０】
0005674501.tif 000011
【図１１】
0005674501.tif 000012
【図１２】
0005674501.tif 000013